(57)【要約】【課題】各種電子機器に使用される開閉装置及びこれを用いた電子機器に関し、開閉位置の保持が確実なものを提供することを目的とする。【解決手段】固定体２１の外周側に外周固定カム２２を、内周側に内周固定カム２３を各々設けると共に、これに対向する可動体２４の外周側に外周可動カム２５を、内周側に内周可動カム２６を各々形成して開閉装置を構成することによって、可動筐体１３を１８０°以上の角度で開くことができると共に、この状態でも可動体２４がさらに開く方向へ付勢されているため、閉位置に加え、開位置の保持も確実な開閉装置及びこれを用いた電子機器を得ることができる。【選択図】  図１
2004308872.tif 000002
【特許請求の範囲】
【請求項１】
側面に複数の固定カムが設けられた固定体と、この固定体に対し回転可能に配置されると共に、上記固定カムとの対向面に複数の可動カムが設けられた可動体と、この可動体または上記固定体を付勢し上記可動カムと上記固定カムを弾接させるばねからなり、上記複数の固定カムと可動カムの一方を外周側に、他方を内周側に形成した開閉装置。
【請求項２】
外周側と内周側の複数の固定カムと可動カムを、各々対称位置に設けた請求項１記載の開閉装置。
【請求項３】
請求項１記載の開閉装置と、上面に操作部または音声入力部の少なくとも一方が形成された固定筐体と、表面に表示部または音声出力部の少なくとも一方が形成された可動筐体からなり、上記開閉装置の固定体及び可動体を、上記固定筐体及び可動筐体のいずれかに装着した電子機器。
【発明の詳細な説明】
【０００１】
【発明の属する技術分野】
本発明は、携帯電話や小型パーソナルコンピュータ等の、各種電子機器に使用される開閉装置及びこれを用いた電子機器に関するものである。
【０００２】
【従来の技術】
近年、携帯電話やパーソナルコンピュータ等の各種電子機器の高機能化や多様化が進む中、機器の固定筐体に対し可動筐体が開閉可能に装着された、所謂、折畳み式のものや、さらには、こうした開閉に加え回転も可能なもの等も増えており、これらに用いられる開閉装置においても、良好な開閉操作感触で開閉位置の保持も確実なものが求められている。
【０００３】
このような従来の開閉装置及びこれを用いた電子機器について、図６〜図１０を用いて説明する。
【０００４】
なお、これらの図面の内、断面図は固定カムと可動カムの関係を判り易くするため、径方向を拡大して表わしている。
【０００５】
図８は従来の開閉装置の断面図、図９は同分解斜視図であり、同図において、１は中央に中空部が設けられた略円筒状の固定体で、この左側面外周の角度１８０°の対称位置には、一対の固定カム２Ａと２Ｂが設けられている。
【０００６】
そして、３は同じく略円筒状の可動体で、固定体１に対し開閉方向へ回転可能に配置されると共に、固定カム２Ａと２Ｂとの対向面である右側面外周の１８０°の対称位置には、突出部と左右へ延出する傾倒部から形成された、一対の可動カム４Ａと４Ｂが設けられている。
【０００７】
さらに、固定体１が略円盤状のカバー５との間にやや撓んだ状態で装着されたコイル状のばね６に付勢され、固定カム２Ａと２Ｂの先端が可動カム４Ａと４Ｂの傾倒部へ各々弾接している。
【０００８】
また、７は略円柱状の可動軸で、この可動軸７の左端部に可動体３が固着されると共に、右端部は固定体１の中空部やばね６を挿通して、カバー５に係止されている。
【０００９】
さらに、８は略円筒状の固定ケースで、この固定ケース８左端の通孔８Ａから可動体３の装着部３Ａが回転可能に突出すると共に、内周の溝部８Ｂには固定体１の突起１Ａが挿入され、固定体１が軸線方向へ移動可能に固定ケース８内に収納されている。
【００１０】
また、固定ケース８下面には回転軸８Ｃが設けられると共に、固定ケース８右端の開口部をカバー５が覆い、固定体１や可動体３、ばね６等が固定ケース８内に収納されて、開閉装置１０が構成されている。
【００１１】
そして、このように構成された開閉装置１０は、例えば、図６（ｂ）の携帯電話の斜視図に示すように、固定ケース８下面の回転軸８Ｃが、上面に複数のキーからなる操作部１２Ａやマイクロフォン等の音声入力部１２Ｂが形成された、固定筐体１２の支持軸１２Ｃへ回転可能に装着される。
【００１２】
さらに、可動体３の装着部３Ａが、表面にＬＣＤ等の表示部１３Ａやスピーカ等の音声出力部１３Ｂが形成された可動筐体１３へ固着され、開閉装置１０によって固定筐体１２に対して可動筐体１３が開閉可能に軸支されると共に、回転軸８Ｃによって可動筐体１３が回転可能に軸支されて、電子機器が構成される。
【００１３】
次に、上記構成の開閉装置及びこれを用いた電子機器の開閉動作について、図１０の要部断面図を用いて説明する。
【００１４】
なお、複数の固定カム２Ａや２Ｂ、可動カム４Ａや４Ｂは、実際には略円筒状の固定体１や可動体３外周の対称位置に立体状に設けられているが、各構成部品の動作がわかり易いように、図１０では平面状に展開して表わしている。
【００１５】
先ず、図１０（ａ）に示すように、固定カム２Ａ、及びこれと１８０°対称位置にある固定カム２Ｂの先端が、可動カム４Ａと４Ｂの左側の傾倒部へ各々弾接した状態では、可動体３が固定体１を介したばね６によって、右方向の閉方向へ付勢されているため、開閉装置１０の装着部３Ａが固着された可動筐体１３は、図６（ａ）に示すように、固定筐体１２に対して閉じた状態で保持されている。
【００１６】
そして、この閉状態から、図６（ｂ）に示すように、可動筐体１３を手で開くと、図１０（ｂ）に示すように、可動体３が左方向へ回転し、固定体１がばね６を撓めながら上方向へ移動して、固定カム２Ａと２Ｂの先端が、可動カム４Ａと４Ｂの突出部を超えて右側の傾倒部へ弾接し、可動体３が左方向の開方向へ付勢されるため、可動筐体１３には開く方向の力が加わる。
【００１７】
さらに、図１０（ｃ）に示すように、固定カム２Ａと２Ｂの先端が可動カム４Ａと４Ｂ右側の傾倒部上を弾接摺動するのに伴って、可動筐体１３が開いていき、固定カム２Ａが可動カム４Ａと１８０°対称位置にある可動カム４Ｂ左側の平坦部へ、また、固定カム２Ｂが同じく可動カム４Ａ左側の平坦部へ弾接した状態では、可動筐体１３が閉の位置から約１８０°近くまで開いた状態で保持される。
【００１８】
つまり、複数の固定カム２Ａと２Ｂ、及び可動カム４Ａと４Ｂが、固定体１と可動体３側面外周の１８０°対称位置に各々形成されているため、１８０°近傍までは開くことができるが、それ以上の角度には開かないように従来の開閉装置１０は構成されている。
【００１９】
そして、この可動筐体１３が１８０°近く開いた状態は、固定カム２Ａと２Ｂの先端が、可動カム４Ｂと４Ａ左側の平坦部に弾接した状態であるため、可動体３、つまり、可動筐体１３には開く方向への力が殆ど加わっていない状態となっている。
【００２０】
また、図６（ａ）の可動筐体１３を閉じた状態のままで、図７（ａ）の斜視図に示すように、可動筐体１３を回転すると、可動筐体１３が固定筐体１２の支持軸１２Ｃを支点として回転し、操作部１２Ａが手前で表示部１３Ａが裏側を向いた状態となる。
【００２１】
なお、この状態では、開閉装置１０は閉じた状態、つまり、図１０（ａ）に示した、固定カム２Ａと２Ｂの先端が、可動カム４Ａと４Ｂの左側の傾倒部へ各々弾接した状態となっている。
【００２２】
そして、この状態から、図７（ｂ）に示すように、表示部１３Ａを上にして可動筐体１３を折畳むと、開閉装置１０としては、上記したような閉状態から１８０°近傍まで開いた場合と同様の状態となるため、図１０（ｃ）に示したように、固定カム２Ａと２Ｂの先端が可動カム４Ｂと４Ａ左側の平坦部に弾接し、可動筐体１３が折畳まれた状態となる。
【００２３】
ただし、上述したように、この状態では可動体３には開く方向の力、つまり、可動筐体１３としては、閉じる方向の力が殆ど加わっていない状態となっているものであった。
【００２４】
なお、この出願の発明に関連する先行技術文献情報としては、例えば、特許文献１が知られている。
【００２５】
【特許文献１】
特開２００２−２０９０００号公報
【００２６】
【発明が解決しようとする課題】
しかしながら、上記従来の開閉装置においては、１８０°以上の角度に開くことができないため、図７（ｂ）に示したような、表示部１３Ａを上側にして可動筐体１３を折畳んだ状態、つまり、開閉装置１０を閉状態から１８０°近傍まで開いた状態では、可動筐体１３には閉じる方向への力が殆ど加わっていないため、可動筐体１３と固定筐体１２の間に浮きが生じ易く、開閉位置の確実な保持が困難であるという課題があった。
【００２７】
なお、このように１８０°対称位置に複数の固定カムと可動カムを形成せず、一つの固定カムと可動カムを弾接させる構成とすれば、１８０°以上の角度にも開く開閉装置が可能であるが、この場合には、カム同士の弾接が一箇所で行われるため、各々のカムに傾きやガタツキが生じ易く、感触が良好で安定した開閉操作が困難となる。
【００２８】
本発明は、このような従来の課題を解決するものであり、１８０°以上開いた状態でも可動筐体１３を開く方向へ付勢し、良好な開閉操作感触で、開閉位置の保持も確実な開閉装置及びこれを用いた電子機器を提供することを目的とする。
【００２９】
【課題を解決するための手段】
上記目的を達成するために本発明は、以下の構成を有するものである。
【００３０】
本発明の請求項１に記載の発明は、固定体の複数の固定カムと、これに対向する可動体の複数の可動カムの一方を外周側に、他方を内周側に形成して開閉装置を構成したものであり、開閉操作により弾接摺動する複数の固定カムと可動カムが、外周側と内周側に設けられているため、１８０°以上の角度で開くことができると共に、この状態でも可動体がさらに開く方向へ付勢されているため、閉位置に加え、開位置の保持も確実な開閉装置を得ることができるという作用を有する。
【００３１】
請求項２に記載の発明は、請求項１記載の発明において、外周側と内周側の複数の固定カムと可動カムを、各々対称位置に設けたものであり、カムの傾きやガタつきを防ぎ、安定した開閉操作が可能な開閉装置が得られるという作用を有する。
【００３２】
請求項３に記載の発明は、請求項１記載の開閉装置を、上面に操作部または音声入力部の少なくとも一方が形成された固定筐体と、表面に表示部または音声出力部の少なくとも一方が形成された可動筐体に装着して電子機器を構成したものであり、可動筐体の開閉位置の保持が確実な電子機器を実現することができるという作用を有する。
【００３３】
【発明の実施の形態】
以下、本発明の実施の形態について、図１〜図７を用いて説明する。
【００３４】
なお、従来の技術の項で説明した構成と同一構成の部分には同一符号を付して、詳細な説明を簡略化する。
【００３５】
また、これらの図面の内、断面図は固定カムと可動カムの関係を判り易くするため、径方向を拡大して表わしている。
【００３６】
（実施の形態）
図１は本発明の一実施の形態による開閉装置の断面図、図２は同分解斜視図、図３と図４は固定体と可動体の斜視図であり、同図において、２１は鋼や銅合金等の略中空円筒状の固定体で、この左側面の外周側に外周固定カム２２が設けられると共に、内周側の角度１８０°の対称位置には固定カム２３が設けられている。
【００３７】
そして、２４は同じく金属製で略円筒状の可動体で、固定体２１に対し開閉方向へ回転可能に配置されると共に、外周固定カム２２との対向面である右側面外周には、突出部と左右へ延出する傾倒部から形成された外周可動カム２５が、この内周側対称位置で内周固定カム２３との対向面には、内周可動カム２６が各々設けられている。
【００３８】
さらに、固定体２１が略円盤状のカバー５との間にやや撓んだ状態で装着されたコイル状のばね６に付勢され、外周固定カム２２の先端が外周可動カム２５の傾倒部へ、内周固定カム２３の先端が内周可動カム２６の傾倒部へ各々弾接している。
【００３９】
また、７は略円柱状の可動軸で、この可動軸７の左端部に可動体２４が固着されると共に、右端部は固定体２１の中空部やばね６を挿通して、カバー５に係止されている。
【００４０】
さらに、８は略中空円筒状の固定ケースで、この固定ケース８左端の通孔８Ａから可動体２４の装着部２４Ａが回転可能に突出すると共に、内周の溝部８Ｂには固定体２１の突起２１Ａが挿入され、固定体２１が軸線方向へ移動可能に固定ケース８内に収納されている。
【００４１】
また、固定ケース８下面には回転軸８Ｃが設けられると共に、固定ケース８右端の開口部をカバー５が覆い、固定体２１や可動体２４、ばね６等が固定ケース８内に収納されて、開閉装置３０が構成されている。
【００４２】
そして、このように構成された開閉装置３０は、例えば、図６の携帯電話の斜視図に示すように、固定ケース８下面の回転軸８Ｃが、上面に複数のキーからなる操作部１２Ａやマイクロフォン等の音声入力部１２Ｂが形成された、固定筐体１２の支持軸１２Ｃへ回転可能に装着される。
【００４３】
さらに、可動体２４の装着部２４Ａが、表面にＬＣＤ等の表示部１３Ａやスピーカ等の音声出力部１３Ｂが形成された可動筐体１３へ固着され、開閉装置３０によって固定筐体１２に対して可動筐体１３が開閉可能に軸支されると共に、回転軸８Ｃによって可動筐体１３が回転可能に軸支されて、電子機器が構成される。
【００４４】
次に、上記構成の開閉装置及びこれを用いた電子機器の開閉動作について、図５の要部断面図を用いて説明する。
【００４５】
なお、外周固定カム２２や内周固定カム２３、外周可動カム２５や内周可動カム２６は、実際には略円筒状の固定体２１や可動体２４外周の対称位置に立体状に設けられているが、各構成部品の動作がわかり易いように、図５では平面状に展開して表わしている。
【００４６】
先ず、図５（ａ）に示すように、外周側の外周固定カム２２先端が外周可動カム２５の左側の傾倒部へ弾接し、これらとは１８０°対称位置で、内周側の内周固定カム２３の先端が内周可動カム２６の左側の傾倒部へ弾接した状態では、可動体２４が固定体２１を介したばね６によって右方向の閉方向へ付勢されているため、開閉装置３０の装着部２４Ａが固着された可動筐体１３は、図６（ａ）に示すように、固定筐体１２に対して閉じた状態で保持されている。
【００４７】
そして、この閉状態から、図６（ｂ）に示すように、可動筐体１３を手で開くと、図５（ｂ）に示すように、可動筐体１３に固着された可動体２４が左方向へ回転し、固定体２１がばね６を撓めながら上方向へ移動して、外周固定カム２２と内周固定カム２３の先端が、外周可動カム２５と内周可動カム２６の突出部を超えて右側の傾倒部へ弾接し、可動体２４が左方向の開方向へ付勢されるため、可動筐体１３には開く方向の力が加わる。
【００４８】
さらに、図５（ｃ）に示すように、外周固定カム２２と内周固定カム２３の先端が、外周可動カム２５と内周可動カム２６の右側の傾倒部上を弾接摺動するのに伴って、可動筐体１３が開いていき、閉の位置から角度１８０°以上に開いた状態でも、可動筐体１３にはさらに開く方向への力が加わる。
【００４９】
なお、この約１８０°開いた状態で可動筐体１３を保持したい場合には、可動筐体１３下端に固定筐体１２へ当接するストッパ部等を設けることによって、約１８０°開いた位置で可動筐体１３を保持することも可能である。
【００５０】
つまり、外周側に外周固定カム２２と外周可動カム２５、内周側に内周固定カム２３と内周可動カム２６というように、各々のカムの弾接摺動箇所をずらした位置に形成することによって、１８０°以上に開いた状態でも、可動筐体１３がさらに開く方向へ付勢されるように構成されている。
【００５１】
さらに、外周固定カム２２と内周固定カム２３、外周可動カム２５と内周可動カム２６を、各々約１８０°の対称位置に設けることによって、ばね６の荷重が二つのカムに均等に加わり、カムの傾きやガタツキを防止するように構成されている。
【００５２】
また、図６（ａ）の可動筐体１３を閉じた状態のままで、図７（ａ）の斜視図に示すように、可動筐体１３を回転すると、可動筐体１３が固定筐体１２の支持軸１２Ｃを支点として回転し、操作部１２Ａが手前で表示部１３Ａが裏側を向いた状態となる。
【００５３】
なお、この状態では、開閉装置３０は閉じた状態、つまり、図５（ａ）に示した、外周固定カム２２と内周固定カム２３の先端が、外周可動カム２５と内周可動カム２６の左側の傾倒部へ各々弾接した状態となっている。
【００５４】
そして、この状態から、図７（ｂ）に示すように、表示部１３Ａを上にして可動筐体１３を折畳むと、開閉装置３０としては、上記したような閉状態から１８０°近傍まで開いた場合と同様の状態となるため、図５（ｃ）に示したように、外周固定カム２２と内周固定カム２３先端が、外周可動カム２５と内周可動カム２６の右側の傾倒部に弾接し、可動体２４は１８０°以上に開く方向へ付勢されている。
【００５５】
従って、図７（ｂ）に示す状態では、可動筐体１３へは閉じる、つまり、折畳まれる方向の力が加わるため、可動筐体１３と固定筐体１２の間に浮き等が生じずに、確実に折畳むことができる。
【００５６】
このように本実施の形態によれば、固定体２１の外周側に外周固定カム２２を、内周側に内周固定カム２３を各々設けると共に、これに対向する可動体２４の外周側に外周可動カム２５を、内周側に内周可動カム２６を各々形成して開閉装置を構成することによって、可動筐体１３を１８０°以上の角度で開くことができると共に、この状態でも可動体２４がさらに開く方向へ付勢されているため、閉位置に加え、開位置の保持も確実な開閉装置及びこれを用いた電子機器を得ることができるものである。
【００５７】
また、外周固定カム２２と内周固定カム２３、外周可動カム２５と内周可動カム２６を、各々対称位置に設けることによって、カムの傾きやガタツキを防ぎ、開閉装置の開閉操作を安定したものとすることができる。
【００５８】
なお、以上の説明では、外周側に外周固定カム２２と外周可動カム２５、内周側に内周固定カム２３と内周可動カム２６というように、二つのカムを弾接摺動させる構成として説明したが、径方向が大きな形状の開閉装置であれば、さらに外周側や内周側にカムを形成し、三つ或いは四つのカムを弾接摺動させる構成としても、本発明の実施は可能である。
【００５９】
さらに、手で可動筐体１３を開閉操作し、これに固着された可動体２４を開閉させる構成についてのみ説明したが、押釦や、各々のカムの弾接位置を反転させる反転カム等の部品を設け、手による開閉操作に加え、閉状態から押釦の押圧操作によって可動筐体１３を開く、所謂、ワンプッシュオープン構成のものにおいても、本発明の実施は可能である。
【００６０】
【発明の効果】
以上のように本発明によれば、良好な開閉操作感触で、開閉位置の保持が確実な開閉装置及びこれを用いた電子機器を実現できるという有利な効果が得られる。
【図面の簡単な説明】
【図１】本発明の一実施の形態による開閉装置の断面図
【図２】同分解斜視図
【図３】同固定体の斜視図
【図４】同可動体の斜視図
【図５】同要部断面図
【図６】電子機器の開閉時の斜視図
【図７】電子機器の回転時の斜視図
【図８】従来の開閉装置の断面図
【図９】同分解斜視図
【図１０】同要部断面図
【符号の説明】
５  カバー
６  ばね
７  可動軸
８  固定ケース
８Ａ  通孔
８Ｂ  溝部
８Ｃ  回転軸
１２  固定筐体
１２Ａ  操作部
１２Ｂ  音声入力部
１２Ｃ  支持軸
１３  可動筐体
１３Ａ  表示部
１３Ｂ  音声出力部
２１  固定体
２１Ａ  突起
２２  外周固定カム
２３  内周固定カム
２４  可動体
２４Ａ  装着部
２５  外周可動カム
２６  内周可動カム
３０  開閉装置
【図１】
2004308872.tif 000003
【図２】
2004308872.tif 000004
【図３】
2004308872.tif 000005
【図４】
2004308872.tif 000006
【図５】
2004308872.tif 000007
【図６】
2004308872.tif 000008
【図７】
2004308872.tif 000009
【図８】
2004308872.tif 000010
【図９】
2004308872.tif 000011
【図１０】
2004308872.tif 000012